(57)【要約】  【課題】  本発明の目的は、線状体に巻き付けられた光ファイバケーブルが線状体に対して弛んで垂れ下がり、風圧等の影響により疲労劣化し、光ファイバケーブルの長期信頼性が損なわれるような事態を防止できるように、布設作業に際して、線状体に巻き付けられた光ファイバケーブルの弛みを容易かつ簡単に除去する方法を提供することにある。  【解決手段】  本発明の線状体に巻き付けられた光ファイバケーブルの弛み除去方法は、光ファイバケーブルが巻き付けられ、かつ延線状態にある線状体に、前記光ファイバケーブルに張力を付加した状態で振動を加えることを特徴とするものである。  【選択図】  図１
2006011016.tif 000002
【特許請求の範囲】
【請求項１】
光ファイバケーブルが巻き付けられ、かつ延線状態にある線状体に、前記光ファイバケーブルに張力を付加した状態で振動を加えることを特徴とする線状体に巻き付けられた光ファイバケーブルの弛み除去方法。
【発明の詳細な説明】
【技術分野】
【０００１】
本発明は、例えば架空地線の如き線状体に巻き付けられた光ファイバケーブルの弛みを除去する方法に関するものである。
【背景技術】
【０００２】
例えば、裸線や電力線の如き線状体の外周に光ファイバケーブルをらせん状に巻き付けた状態を、電柱上や送電鉄塔上に形成する方法として、大きく分けて以下の２通りの方法がある。
一つは、既に布設されている線状体の外周に自走巻付機等により光ファイバケーブルをらせん状に巻き付ける方法（特許文献１）である。そしてもう一つの方法は、予め線状体に光ファイバケーブルを巻き付けた状態のものをドラムに巻き取っておき、これをドラムから繰り出して延線して布設する方法、すなわち線状体と光ファイバケーブルとを同時に一緒に布設する方法である。
【０００３】
前者の方法は、例えば図３が示すように、先に布設されている架空線のごとき線状体１に、この線条体１を把持しながら線状体１上を自走し、線状体１を中心軸にして回転しつつ保持している光ファイバケーブル用ドラム３から光ファイバケーブル２を繰り出す自走式巻付機４により、線状体１の長手方向に亘って光ファイバケーブル２を巻き付けるものである。
【０００４】
また後者の方法は、予め線状体に光ファイバケーブルを巻き付け、これを光ファイバケーブルドラムに巻き取っておき、ケーブル布設時に、光ファイバケーブルが巻き付けられている線状体を光ファイバケーブルと共に一体的にケーブルドラムから繰り出して両者を一緒に延線して布設するものである。
【０００５】
【特許文献１】特開２０００−２９２６６６号公報
【発明の開示】
【発明が解決しようとする課題】
【０００６】
ところで前者の方法で布設する場合、線状体に光ファイバケーブルを巻き付けている作業中に何かの不都合が生じて、例えば自走式巻付機への条件設定入力に間違いがあって、図４に示すように線状体１に対して光ファイバケーブル２が弛み、一部で垂れ下がる、といった問題がある。
【０００７】
一方、後者の方法においても、線状体に巻き付けた光ファイバケーブルを、線状体と共にケーブルドラムに巻き取っているため、これを延線状態にすると線状体よりも光ファイバケーブル側が長尺になっているためか概して図４に示すように線状体１に対して光ファイバケーブル２が弛み、一部で垂れ下がる、といった問題がある。
このように線状体１に対して光ファイバケーブル２が弛んで垂れ下がったりすると、この垂れ下がった部分が過剰の風圧を受け、振動し、光ファイバケーブル２が疲労劣化し長期信頼性が損なわれる、という問題がでてくる。具体的には光ファイバケーブル内の光ファイバの伝送損失が増加したり、最悪の場合光ファイバが断線する可能性もある。
【０００８】
上記問題に鑑み本発明の目的は、線状体に巻き付けられた状態で布設される、あるいは布設されている光ファイバケーブルにおいて、線状体に対して光ファイバケーブルが弛んで垂れ下がり、風圧等の影響により疲労劣化し、光ファイバケーブルの長期信頼性が損なわれるのを防止できるように、線状体に巻き付けられた光ファイバケーブルの弛みを容易かつ効果的に除去する方法を提供することにある。
【課題を解決するための手段】
【０００９】
前記目的を達成すべく本発明の請求項１記載の線状体に巻き付けられた光ファイバケーブルの弛み除去方法は、光ファイバケーブルが巻き付けられ、かつ延線状態にある線状体に、前記光ファイバケーブルに張力を付加した状態で振動を加えることを特徴とするものである。
【００１０】
このようにしてなる請求項１記載の線状体に巻き付けられた光ファイバケーブルの弛み除去方法によれば、架線された光ファイバケーブルを電柱や鉄塔に固定する前に、線状体に対する光ファイバケーブルの弛みを効果的に除去し、布設することができる。もちろん布設後に光ファイバケーブルが弛んだ場合にも、この弛みを簡単に除去できる。
そのため線状体に対して光ファイバケーブルが弛んで垂れ下がり、風圧を受けているうちに振動で劣化し、長期信頼性が損なわれる恐れを低減できる。
【発明の効果】
【００１１】
以上のように本発明によれば、容易かつ効果的に線状体に対する光ファイバケーブルの弛みを除けるため、線状体に対して光ファイバケーブルが弛んで垂れ下がり、その結果、風圧等の影響により疲労劣化し、光ファイバケーブルの長期信頼性が損なわれるような事態を防止できる。
【発明を実施するための最良の形態】
【００１２】
以下、本発明に係わる実施の形態を図面に基づいて詳細に説明する。
図１は本発明に係わる第一の実施の形態を示す概略図である。
図１が示すように、線状体に巻き付けられた光ファイバケーブルを一緒に、巻かれているケーブルドラムから引き出し、いま例えばこの線状体１と光ファイバケーブル２とを布設する鉄塔間に仮架線した、と仮定する。この状態で線状体１の両端部は鉄塔の所要の位置に仮固定されている。一方光ファイバケーブル２の一端は電柱に仮固定し、他端側には図１が示すように張力Ｔを付加せしめる。
【００１３】
このように光ファイバケーブル２に張力Ｔを付加した状態で、振動発生器５により線状体１に振動を加えた。
この結果、振動により線状体１と光ファイバケーブル２との間の摩擦力が減じて、比較的小さな引張力で光ファイバケーブル２を線状体１上で移動させることができるようになる。それ故、ケーブル長手方向のどこかの位置で、仮に線状体１に対して光ファイバケーブル２が弛んで、垂れ下がっていたとしても、この弛みを光ファイバケーブル２に損傷を与えることなく簡単に除去することができる。
【００１４】
より簡便な方法としては、図２が示すように、図１の場合と同じように光ファイバケーブル２に引っ張り張力Ｔを付加した状態で、作業者が線状体１を小槌や小型のハンマー６等で軽く叩いて振動を加える方法もある。この方法においても光ファイバケーブル２の弛みを簡単に除去することができる。
【００１５】
以上のように線状体に巻き付けられた光ファイバケーブルを、布設する鉄塔や電柱に完全に固定する前に、光ファイバケーブルに引っ張り張力を加えた状態で線状体に振動を加えることにより、線状体と光ファイバケーブル間の接触摩擦を小さくできる。そのため光ファイバケーブルの長手方向に仮に弛みがあったとしても、この弛みを簡単に除くことができる。
【００１６】
このように布設に際して、本発明のような簡単な方法で線状体に対する光ファイバケーブルの弛みをなくすことができるので、光ファイバケーブルの弛みに起因する疲労劣化等を防止でき、もって長期に亘って信頼性の高い線状体に巻き付けられた光ファイバケーブルの布設を行うことができる。
また前記実施例では、布設に先立って光ファイバケーブルの弛みを除去したが、布設後に線状体に対して光ファイバケーブルが経時的に弛んだ場合にも本発明が適用できるのはいうまでもない。
【００１７】
また、本発明によれば、振動発生器あるいはより簡便な方法として小槌やハンマーという極めて一般的な工具でも振動の付加が行えるので、布設作業を容易に行えるという利点もある。
【図面の簡単な説明】
【００１８】
【図１】本発明の一例を示す概略図である。
【図２】本発明の別の一例を示す概略図である。
【図３】従来の問題点を示す概略図である。
【図４】従来の自走式巻付機を用いた光ファイバケーブルの線状体への巻き付け方法を示す概略図である。
【符号の説明】
【００１９】
１  線状体
２  光ファイバケーブル
３  光ファイバケーブル用ドラム
４  自走式巻付機
５  振動発生器
６  ハンマー
【図１】
2006011016.tif 000003
【図２】
2006011016.tif 000004
【図３】
2006011016.tif 000005
【図４】
2006011016.tif 000006